(57)【要約】加入者局（ＭＳ）とネットワーク側無線局（ＢＳＳ）との間に論理的なコネクションが確立されることなく、少なくとも１つの加入者局（ＭＳ）が受信可能なデータをネットワーク側無線局（ＢＳＳ）が送信するデータサービスが設けられている。その際、データを送信するための無線パラメータが、ネットワーク側無線局（ＢＳＳ）に割り当てられた領域内に滞留している加入者局（ＭＳ）のケイパビリティないしはパフォーマンス特性に依存して設定される。この領域内に滞留している加入者局（ＭＳ）およびそれらの加入者局（ＭＳ）のファシリティないしはパフォーマンスフィーチャに関する情報を、ネットワーク側無線局（ＢＳＳ）がたとえば上位のネットワークユニット（ＳＧＳＮ）から受け取る。
2006525689.tif 000002
【特許請求の範囲】
【請求項１】
無線通信システムの作動方法において、
加入者局とネットワーク側無線局との間で論理的なコネクションが確立されることなく、少なくとも１つの加入者局により受信可能なデータを前記ネットワーク側無線局が送信する形式のデータサービスが設けられており、
前記データを送信するための無線パラメータを、前記ネットワーク側無線局に割り当てられている領域内に滞留する加入者局のケイパビリティに依存して設定することを特徴とする、
無線通信システムの作動方法。
【請求項２】
請求項１記載の方法において、
前記ネットワーク側無線局の上位におかれたネットワークユニットに、前記ネットワーク側無線局に割り当てられた領域内に滞留する加入者局に関する情報と、該加入者局のケイパビリティに関する情報を与え、
前記上位のネットワークユニットは前記ネットワーク側無線局へメッセージを伝達し、該メッセージに基づき前記ネットワーク側無線局はデータ送信のための無線パラメータを設定することを特徴とする方法。
【請求項３】
請求項２記載の方法において
前記メッセージには、前記領域内に滞留する加入者局のケイパビリティに関する情報が含まれていることを特徴とする方法。
【請求項４】
請求項２記載の方法において、
前記上位のネットワークユニット内で、前記領域内に存在する加入者局がサポートする最小のケイパビリティの組み合わせを求め、
前記メッセージに、該最小のケイパビリティの組み合わせに関する情報を含めることを特徴とする方法。
【請求項５】
請求項２から４のいずれか１項記載の方法において、
前記上位のネットワークユニットに、データサービスに加わるための加入者局の登録に関する情報を与え、該上位のネットワークユニットは加入者局が登録されると該加入者局のケイパビリティに関する情報を受け取ることを特徴とする方法。
【請求項６】
請求項２から４のいずれか１項記載の方法において、
前記加入者局は場所を移動したとき、該加入者局のケイパビリティに関する情報を含むメッセージを上位のネットワークユニットへ送信することを特徴とする方法。
【請求項７】
請求項１から６のいずれか１項記載の方法において、
前記領域内に滞留している加入者局数が変化したとき、データ送信のための前記無線パラメータを変更することを特徴とする方法。
【請求項８】
無線通信システムの作動装置において、
ネットワーク側無線局が設けられており、該ネットワーク側無線局は、自身に割り当てられている領域内に存在する少なくとも１つの加入者局へ、データサービスのデータを無線パラメータとともに送信し、
該無線パラメータは、前記領域内に滞留している加入者局のケイパビリティに依存して設定され、
前記少なくとも１つの加入者局と前記ネットワーク側無線局との間に論理的なコネクションは確立されないことを特徴とする、
無線通信システムの作動装置。
【請求項９】
請求項８記載の装置において、
基地局制御装置（ＢＳＣ）と少なくとも１つの基地局（ＢＳ）から成ることを特徴とする装置。
【発明の詳細な説明】
【技術分野】
【０００１】
本発明は、無線通信システムたとえば移動無線システムの作動方法に関する。
【０００２】
無線通信システムは、情報、音声またはデータを送信側無線局と受信側無線局との間の無線インタフェースを介して電磁波によって伝送するために用いられる。無線通信システムに関する一例は周知のＧＳＭ移動無線ネットワークやその発展形態であるＧＰＲＳであって、このアーキテクチャはたとえばB. Walke, Mobilfunknetze und ihre Protokolle, Band 1, Teubner-Verlag Stuttgart, 1998, p.139-151およびp.295-311 に記載されている。この場合、加入者信号を伝送するために、狭帯域の周波数範囲と１つのタイムスロットにより形成されたそれぞれ１つのチャネルが設けられている。
【０００３】
パケットデータ交換のため、無線通信システムたとえばＧＰＲＳを用いたＧＳＭ移動無線ネットワークには多数のパケットデータサービスノード（Serving GPRS Support Node SGSN）が含まれており、これらは互いにネットワークで接続されていて、これらにより固定データネットワークに対するアクセスが形成される。回線交換型データ伝送のため無線通信システムには移動交換局が含まれており、これらは互いにネットワークで接続されていて、これらにより固定局に対するアクセスが形成される。これらのパケットデータサービスノードと移動交換局は、さらに基地局制御装置（ＢＳＣ）と接続されている。各基地局制御装置によって少なくとも１つの基地局（ＢＴＳ）との接続も可能となり、その際にこれらの基地局制御装置は、接続されている基地局の無線技術上のリソース管理を行う。なお、基地局と基地局制御装置のことを基地局システムと称する。基地局は、無線インタフェースを介して加入者局に対するメッセージコネクションを確立することのできる送受信ユニットである。
【０００４】
ここでは加入者局における２つの動作モードを区別する：当業者にとって一般に「アイドルモード」 "idle mode"として知られているアイドリング状態においては、加入者局と基地局との間で論理的なコネクションは発生していない。一般に「専用モード」 "dedicated mode"という用語でも知られている専用状態では、加入者局と１つの基地局との間で論理的なコネクションが発生しており、このコネクションにおいて加入者局に１つのチャネルが割り当てられ、このチャネルを介してメッセージ伝送を行うことができる。
【０００５】
ある無線局たとえば基地局が、専用のコネクションにデータを割り当てることなくそれらのデータを送信するようにした新しい形式のデータサービスが提案されている。この場合にはむしろデータはいわばブロードキャスト送信といったかたちでデータが送信され、殊に基地局のサービスエリア内で無線通信ネットワーク内に存在するすべての加入者局により、あるいは無線通信システム内に存在する複数の加入者局から成る規定のグループによって、そのデータを受信することができる。これによれば、受信を行う加入者局をアイドリング状態すなわちアイドルモード Idle Modeにおいておくことができる。このようなサービスに属するものとして、ＭＢＭＳという略語をもつ「マルチメディア・ブロードキャスト・マルチキャスト・サービス」 "Multimedia Broadcast Multicast Services"という概念でＧＥＲＡＮ標準およびＵＴＲＡＮ標準のために提案されているサービスも挙げられる。これについてはたとえば、以下の技術仕様を参照されたい： 3GPP TR 25.992, V1. 2.0 (2003-01) "Multimedia Broadcast Multicast Service (MBMS); UTRAN/GERAN Requirements", TR 23.846, V6.1. 0 (2002-12) "MBMS; Architecture and functional description (Release 6)", TS 22.146, V6.1.0 (2002-09) "MBMS; Stage 1 (Release 6)"
この種のデータサービスの潜在的な加入者を、無線通信システムに登録させることができる。この場合、それらの加入者には識別子が設けられ、特定のシグナリングチャネルのグループたとえばページンググループとしてページングチャネルに割り当てることができる。これらのサービスの決算は登録を介して行われる。
【０００６】
これらのデータサービスにおいては、データはもっぱらネットワーク側の無線局から送信される。データサービスの潜在的な加入者とネットワーク側無線局との間で専用のコネクションが確立されないため、ネットワーク側の無線局にとっては通常、データサービスに加わる加入者局のファシリティないしはケイパビリティあるいはパフォーマンスフィーチャ（Leistungsmerkmal）に関する情報は得られない。したがってすべての加入者局とって受信が可能となるよう、データの送信をネットワーク側無線局がコンフィギュレーションしなければならない。このコンフィギュレーションは、無線通信システム内で稼働させることのできる加入者局における最小のケイパビリティないしはパフォーマンスに適応させなければならない。最小のケイパビリティを越えている比較的高価な加入者局のケイパビリティは専用のポイント・ツー・ポイントコネクションの枠組みでしか考慮できず、このようなコネクションは必要とされる無線リソースゆえに現在のデータサービスに対して適用すべきものではない。
【０００７】
したがって本発明の課題は、専用のコネクションにデータが割り当てられることなくネットワーク側無線局がそれらのデータを送信する形式のデータサービスに対して、最小のコンフィギュレーションを越えている加入者局のケイパビリティないしはパフォーマンス特性を考慮できるようにした無線通信システムの作動方法を提供することにある。
【０００８】
この課題は、独立請求項記載の方法ならびに装置によって解決される。従属請求項には本発明の実施形態が示されている。
【０００９】
この場合、加入者局とネットワーク側無線局との間で論理的なコネクションを確立することなく、少なくとも１つの加入者局が受信可能なデータをネットワーク側無線局が送信するデータサービスが設けられている。ネットワーク側無線局はたとえば基地局システム（ＢＳＳ基地局システム）として構成されている。上述のデータサービスを介して、たとえば短いビデオクリップが送信される。通常、データサービスは２つ以上の加入者局により受信される。データの送信は、いわばブロードキャスト送信というかたちで行われる。データ送信のための無線パラメータは、ネットワーク側無線局に割り当てられている領域内に滞留している加入者局のケイパビリティに依存して設定される。
【００１０】
したがって本発明による方法によれば、ネットワーク側無線局に割り当てられている領域内に滞留していることから実際にデータサービスの潜在的な加入者である加入者局が、どのケイパビリティをサポートしているのかが考慮される。この領域外に存在しており場合によってはサポートしているケイパビリティの少ない加入者局は、無線パラメータ設定にあたり考慮されない。このため、最も劣ったもしくは最も僅かなケイパビリティによって領域内の加入者局によりサポート可能な無線パラメータを用いて、データの送信を行うことができる。ケイパビリティないしはパフォーマンスフィーチャはたとえば、加入者局の多様な変調規格またはコーディング規格に係わるものであり、あるいは当業者にとって一般にマルチスロット対応という用語で呼ばれているような２つ以上のタイムスロットを介してデータを受信可能な加入者局の特性などに係わるものである。
【００１１】
本発明による方法の利点は、要求の高いケイパビリティをもつ加入者局が可能であるかぎりそのようなケイパビリティも利用できることである。基地局システムがそのために必要とする情報は、加入者局と基地局システムとの間のエアインタフェースにおけるシグナリングトラフィックに負担をかけてしまうようなことなく、無線通信システム内で提供される。
【００１２】
有利には、ネットワーク側無線局の上位におかれたネットワークユニットに、ネットワーク側無線局に割り当てられた領域内に滞留している加入者局に関する情報と、それらの加入者局のケイパビリティに関する情報が与えられる。この場合、上位のネットワークユニットはネットワーク側無線局へメッセージを伝達し、このメッセージに基づきネットワーク側無線局はデータ送信用の無線パラメータを設定する。
【００１３】
たとえば上位のネットワークユニットはパケットデータ交換ユニットに対応するものであり、これはＧＥＲＡＮ標準またはＵＴＲＡＮ標準に準拠して構築された無線通信システムにおいてＳＧＳＮという概念で設けられているようなユニットである。パケットデータ交換ユニットにおいて、ルーティングエリアという概念が適用される滞留領域の中に存在しているすべての加入者局の滞留データいわゆるルーティング情報が収集される。このルーティング情報を、ネットワーク側無線局に割り当てられた領域内に滞留している加入者局を求めるために利用することができる。このケースでは、ネットワーク側無線局に割り当てられている領域がルーティングエリアと一致していると有利である。ただしネットワーク側無線局に割り当てられている領域を、ルーティングエリアの一部分だけに該当させることもでき、たとえばネットワーク側無線局によりサービスされる１つの無線セルだけに該当させることもできる。
【００１４】
有利にはこのメッセージは、ネットワーク側無線局においてデータサービスのための無線リソースが割り当てられる前に伝達される。これをたとえば、ＵＴＲＡＮ標準で設けられているＭＢＭＳのRadio Access Bearer Setup 無線アクセスベアラセットアップにおいて行うことができるし、あるいはＧＥＲＡＮ標準で設けられているＰＦＣ（Packet flow context）Setup パケットフローコンテキストセットアップにおいて行うことができる。
【００１５】
本発明の１つの有利な実施形態によれば、上位のネットワークユニットからネットワーク側無線局へ伝達されるメッセージには、上述の領域内に滞留しているすべての加入者局のケイパビリティに関する情報が含まれている。このケースでは、ネットワーク側無線局においてこの情報の評価が行われ、その際、領域内に滞留しているすべての加入者局によりサポートされる最小のケイパビリティの組み合わせが突き止められる。そしてこのような最小のケイパビリティの組み合わせが、データサービス送信のための無線パラメータの設定において基礎とされる。
【００１６】
本発明の別の実施形態によれば、上位のネットワークユニットにおいて、領域内に存在するすべての加入者局によりサポートされる最小のケイパビリティの組み合わせが求められる。このケースではネットワーク側無線局へのメッセージには、最小のサービスフィーチャの組み合わせに関する情報だけが含まれる。このようにすることの利点は、上位のネットワークユニットとネットワーク側無線局との間で伝送されるデータが僅かとなり、ネットワーク側無線局のプロセッサにとってこの評価が負担にならないことである。
さらに本発明によれば、データサービスへ加わるための個々の加入者局の登録に関する情報が上位のネットワークユニットに与えられ、上位のネットワークユニットは加入者局の登録にあたりその加入者局のケイパビリティに関する情報を受け取る。
【００１７】
これに対する代案として、加入者局が場所を移動したとき、この加入者局のケイパビリティに関する情報を含むメッセージが上位のネットワークユニットへ送信される。これをたとえば、ルーティング情報の交換のためＧＥＲＡＮ標準もしくはＵＴＲＡＮ標準にいずれにせよ設けられているメッセージの枠組みの中で行うことができる。
【００１８】
上述の領域内に滞留している加入者局数が変化したとき、データサービスを送信するための無線パラメータを変更するのが有利である。したがって、ある加入者局がその領域を離れたとき、無線パラメータの設定にあたり基礎としていた最小のケイパビリティの組み合わせが、その領域内にとどまっている加入者局の目下の最小のケイパビリティの組み合わせとまだ一致しているか否かがチェックされる。たとえば最も僅かなケイパビリティの組み合わせをもつ加入者局がその領域を離れたときには、とどまっている加入者局によりサポートされる目下の最小のケイパビリティの組み合わせに応じて、無線パラメータの新たな設定が行われる。他方、ある加入者局が加わったときには、無線パラメータの目下の設定の基礎としていた最小のケイパビリティの組み合わせに含まれているすべてのケイパビリティをその加入者局がサポートしているか否かがチェックされる。新たに加わった加入者局が、使用されていた最小のケイパビリティの組み合わせに含まれているものよりも僅かなケイパビリティしかサポートしていなければ、最新の状態に更新されたケイパビリティの組み合わせが求められ、これがデータサービス送信のための無線パラメータの新たな設定の基礎とされる。このようにして、新たに加わった加入者局も確実にデータサービスを受け取ることができるようになる。
【００１９】
上述の領域内に存在している加入者局およびそれらの加入者局のケイパビリティに関する情報が上位のネットワークユニットにおいて管理される場合に有利であるのは、ネットワーク側無線局に対し規則的にまたは変更のたびにそれらの情報に関して通知を行うことである。
【００２０】
次に、図面に描かれている実施例に基づき本発明について詳しく説明する。
【００２１】
図１には、データサービスの送信を確立する際のメッセージ交換について示されている。
【００２２】
データサービスたとえばＭＢＭＳには１つまたは複数の加入者局ＭＳ、基地局制御装置ＢＳＣと基地局ＢＴＳを含む基地局システムＢＳＳ、さらにパケット交換ユニットＳＧＳＮが関与する。最初に、パケット交換ユニットＳＧＳＮにおいて加入者局ＭＳの登録１が行われる。登録１にはたとえば、このデータサービスの枠組みにおいて受信すべき一連のデータ、データサービスの決算に必要とされる加入者局に関する情報、ならびに加入者局ＭＳがサポートしているケイパビリティないしはパフォーマンス特性（Leistungsmerkmal）に関する情報が含まれている。登録１は一般に、データサービスの枠組みにおける現在の送信とは無関係に行われる。登録は通常、多数の加入者局ＭＳとパケット交換ユニットＳＧＳＮとの間で行われる。
【００２３】
データサービスの枠組みにおいてデータの送信を開始するために通知２が行われ、これによってブロードキャストチャネルを介してパケット交換ユニットＳＧＳＮから意図する送信について指示が出される。通知２はパケット交換ユニットＳＧＳＮの送信エリア内に存在するすべての加入者局によって受け取ることができるので、潜在的な加入者局がデータの受信に合わせて準備することができる。
【００２４】
パケットデータサービスユニットつまりパケットデータ交換ユニットＳＧＳＮはメッセージ３を基地局システムＢＳＳへ送信し、このメッセージには、基地局システムＢＳＳに割り当てられている領域内に滞留している加入者局ＭＳに関する情報と、それらの加入者局ＭＳのケイパビリティないしはパフォーマンス特性に関する情報が含まれている。メッセージ３にはたとえば、領域内に存在しているすべての加入者局ＭＳがサポートしている最小のケイパビリティないしはパフォーマンス特性の組み合わせが含まれている。
【００２５】
どの加入者局ＭＳが領域内に滞留しているかについての情報を、パケット交換ユニットＳＧＳＮはＧＥＲＡＮ標準もしくはＵＴＲＡＮ標準に従い規則的に送信されるルーティング情報から取り出す。
【００２６】
メッセージ３から取り出された最小のケイパビリティの組み合わせに基づき、基地局システムＢＳＳ内部の基地局制御装置ＢＳＣは無線パラメータを設定し、この無線パラメータが基地局ＢＳＳから潜在的に関与している加入者局ＭＳへの以降のデータ送信４のために利用される。
【００２７】
加入者局ＭＳは基地局システムＢＳＳに割り当てられている領域を離れると、パケットデータ交換ユニットＳＧＳＮはこのような滞留場所変更に関する情報を受け取る。これに基づきパケットデータ交換ユニットＳＧＳＮ内で最新の最小のケイパビリティの組み合わせが決定され、別のメッセージを介してこれが基地局ＢＳＳへ伝達される。最新の最小のケイパビリティの組み合わせと以前に基礎とした最小のケイパビリティの組み合わせとが異なっていれば、基地局システムＢＳＳ内部の基地局制御装置ＢＳＣはデータサービスの以降の送信のために無線パラメータを新たに設定しなおす。
【図面の簡単な説明】
【００２８】
【図１】データサービスの送信を確立する際のメッセージ交換について示す図
2006525689.tif 000003
【国際調査報告】
2006525689.tif 000004
2006525689.tif 000005
2006525689.tif 000006
2006525689.tif 000007